(57)【特許請求の範囲】
【請求項１】
ハウス内の上方の空気を下方、又は適所に送るハウス用ダクトの外周面に設けられ、前記外周面を移動可能なカバーであって、
筒状に形成され、かつ、長さが略８０ｍｍ以上略６００ｍｍ以下の範囲内にあり、
移動可能な範囲は、前記ハウス用ダクトの吹出口から、前記ハウス用ダクトの吸込口とすることを特徴とするカバー。
【請求項２】
凹凸形状の面が形成された壁面を有し、
前記壁面が前記ハウス用ダクトの前記外周面に接することによって、前記ハウス用ダクトに取付けられることを特徴とする請求項１に記載のカバー。
【請求項３】
円筒状で、かつ、長さが略１００ｍｍ以上略４００ｍｍ以下の範囲内にあることを特徴とする請求項１又は２に記載のカバー。
【請求項４】
蛇腹状に形成されていることを特徴とする請求項１乃至３のいずれか一項に記載のカバー。
【請求項５】
前記ハウス用ダクトと、同質硬さか、又は硬い素材から形成されていることを特徴とする請求項１乃至４のいずれか一項に記載のカバー。
【請求項６】
ハウス内の天井の空気を吹き下ろす送風機と、
前記送風機によって送り込まれた空気を下方、又は適所に送るハウス用ダクトと、
前記ハウス用ダクトの外周面に設けられる請求項１乃至５のいずれか一項に記載のカバーと、を備えることを特徴とする給気構造。
【請求項７】
前記ハウス用ダクトは、前記外周面に貫通孔を有し、
前記カバーは、前記カバーの移動可能な範囲内の所定位置に取付けられることによって、前記貫通孔を塞ぐことを特徴とする請求項６に記載の給気構造。
【請求項８】
前記ハウス用ダクトの前記外周面には、前記ハウス用ダクトの長さ方向に沿って、等間隔に印字がプリントされており、
前記カバーは、前記印字に対応する任意の位置に取付けられることを特徴とする請求項６又は７に記載の給気構造。
【発明の詳細な説明】
【技術分野】
【０００１】
本発明は、カバー及び給気構造に関する。
【背景技術】
【０００２】
ハウス内においては、ダクトの吹出口（給気口）より、所定の方向に、的確かつスムーズに送風することで、ハウス内の空気の均一化を図りつつ、生育・成果・品質等の均一化が図れる。この目的達成には、ダクトの吹出口から吹出される（ハウス内に給気される）空気の安定した流れが要求される。そのためには、例えば、ダクトの吹出口の強度維持、及び形状（環状）確保と、このダクトのブレを無くすこと（ブレ防止）及び／又は、ダクトの形状確保が必要である。本出願人は、ブレ防止、及び／又は、形状確保のために、耐性の環体を使用していたが、さらに、市場の要望と、利便性とを確保すること、又はカバーの軟質性を活用すること、等の実用面の改良を考えた。
【０００３】
特許文献１及び特許文献２に記載のダクトは、送風機から受けた空気を、ダクトの端部に形成された吹出口から給気している。しかし、この特許文献１、２は、図示の如く、ダクトを吊下（垂下）する構造を採用していないことから、ハウス内の上下方向の空気循環システムとは云えないと考えられる。空気循環システムとしての意味合いは、同じとしても、本発明が目的とする、上下方向の空気循環システムとは異なる。また、本発明が意図するダクトのブレ防止解消と、ダクトの吹出口から給気される空気の流れの不安定解消とは、全く異なる。
【先行技術文献】
【特許文献】
【０００４】
【特許文献１】特開平５−２８４８６０号公報
【特許文献２】登録実用新案第３１７９９３８号公報
【発明の概要】
【発明が解決しようとする課題】
【０００５】
本発明は、上記の問題点を解決するためになされたもので、ダクトのブレ防止を図るカバー及び給気構造を提供することを目的とする。
【課題を解決するための手段】
【０００６】
上記目的を達成するため、本発明の第１の観点に係るカバーは、
ハウス内の上方の空気を下方、又は適所に送るハウス用ダクトの外周面に設けられ、前記外周面を移動可能なカバーであって、
筒状に形成され、かつ、長さが略８０ｍｍ以上略６００ｍｍ以下の範囲内にあり、
移動可能な範囲は、前記ハウス用ダクトの吹出口から、前記ハウス用ダクトの吸込口とすることを特徴とする。
【０００７】
前記カバーは、凹凸形状の面が形成された壁面を有し、
前記壁面が前記ハウス用ダクトの前記外周面に接することによって、前記ハウス用ダクトに取付けられていてもよい。
【０００８】
前記カバーは、円筒状で、かつ、長さが略１００ｍｍ以上略４００ｍｍ以下の範囲内にあってもよい。
【０００９】
前記カバーは、蛇腹状に形成されていてもよい。
【００１０】
前記カバーは、前記ハウス用ダクトと、同質硬さか、又は硬い素材から形成されていてもよい。
【００１１】
本発明の第２の観点に係る給気構造は、
ハウス内の天井の空気を吹き下ろす送風機と、
前記送風機によって送り込まれた空気を下方、又は適所に送るハウス用ダクトと、
前記ハウス用ダクトの外周面に設けられる第１の観点に係るカバーと、を備える。
【００１２】
前記ハウス用ダクトは、前記外周面に貫通孔を有し、
前記カバーは、前記カバーの移動可能な範囲内の所定位置に取付けられることによって、前記貫通孔を塞いでいてもよい。
【００１３】
前記ハウス用ダクトの前記外周面には、前記ハウス用ダクトの長さ方向に沿って、等間隔に印字がプリントされており、
前記カバーは、前記印字に対応する任意の位置に取付けられていてもよい。
【発明の効果】
【００１４】
本発明のカバー及び給気構造が備えるカバーは、ダクトの外周面に設けられることによって、ダクトのブレ防止をすることができる。
【図面の簡単な説明】
【００１５】
【図１】本発明の実施の形態１に係る給気構造の斜視図である。
【図２】（ａ）は、ダクトにカバーが取付けられる様子を示す正面図である。（ｂ）は、ダクトにカバーが取付けられた様子を示す正面図である。（ｃ）は、カバーがダクトを移動した様子を示す正面図である。
【図３】本発明の実施の形態２に係る給気構造の斜視図である。
【図４】（ａ）は、ダクトにカバーが取付けられる様子を示す正面図である。（ｂ）は、ダクトにカバーが取付けられた様子を示す正面図である。（ｃ）は、カバーがダクトを移動した様子を示す正面図である。
【図５】本発明の実施の形態３に係る給気構造の斜視図である。
【図６】（ａ）は、ダクトにカバーが取付けられる様子を示す正面図である。（ｂ）は、ダクトにカバーが取付けられた様子を示す正面図である。（ｃ）は、カバーがダクトを移動した様子を示す正面図である。
【図７】本発明の変形例１に係る給気構造の斜視図である。
【図８】（ａ）は、本発明の変形例２に係るダクトにカバーが取付けられる様子を示す正面図である。（ｂ）は、ダクトにカバーが取付けられた様子を示す正面図である。（ｃ）は、カバーがダクトを移動した様子を示す正面図である。
【図９】（ａ）は、本発明の変形例３に係るダクトにカバーが取付けられる様子を示す正面図である。（ｂ）は、ダクトにカバーが取付けられた様子を示す正面図である。（ｃ）は、カバーがダクトを移動した様子を示す正面図である。
【図１０】（ａ）は、本発明の変形例４に係るダクトにカバーが取付けられる様子を示す正面図である。（ｂ）は、ダクトにカバーが取付けられた様子を示す正面図である。（ｃ）は、カバーがダクトを移動した様子を示す正面図である。
【図１１】本発明の変形例５に係るカバーを示す正面図である。（イ）は、カバーにシート状の温湿計が貼り付けられた様子を示す拡大正面図である。（ロ）は、カバーに貼り付けられたシート状の温湿計が温度及び湿度を表示する様子を示す拡大正面図である。
【発明を実施するための形態】
【００１６】
以下、本発明の実施の形態について図面を参照しながら詳細に説明する。
【００１７】
実施の形態１．
図１に示すように、ハウス２は、従来と同様に、例えば、躯体２ｃと梁（図示しない）、及びビニールフイルム、ガラス等の保護材、補強材（図示しない）、並びにワイヤ、その他資材等で構成されている。ハウス２を構成する躯体２ｃ、又は天井２ｂ等には、ワイヤ２ｄ、及び／又は、支持部材２ｅにより、後述する給気構造１のケーシング４０、及びダクト１０が吊下げられる（ダクト１０は、天井２ｂから下方に向かって延びており、かつハウス２に、一本又は複数本吊下される）。
【００１８】
作物３は、例えば、棚栽培方式によって栽培されているトマトである。例えば、作物３は、脚を有する棚２ａの上で栽培されている。また、図示しないが、ハンギングガター方式による棚栽培も有り得る。
【００１９】
給気構造１は、ハウス２内の空気を、原則として、天井２ｂの暖気等の空気を、下方向に吹き下ろすために使用される（一部例外あり）。作物３の生長点に対して給気するとともに、作物３の周辺に空気の流れを確保する。給気構造１は、ケーシング４０と、ケーシング４０に吊下したダクト１０と、ケーシング４０内に設けた送風機２０、及び／又は、ダクト１０の外周面１１に套嵌されるカバー（ダクトカバー）３０と、で構成する。ケーシング４０は、天井２ｂ、躯体２ｃ、又は、屋根部のいずれかの下部（ハウス２の上部で、空気が滞留する領域）に位置するワイヤ２ｄ、及び／又は、支持部材２ｅに取付けられている。
【００２０】
ダクト１０は、軟質等のプラスチックから形成された、円筒形状である。ダクト１０の内径ｄｉは、略２４２ｍｍ、厚みｔ１は、略０．０５ｍｍである。長さは、略２９５０ｍｍである。ダクト１０の重量は、略１９８ｇである。ダクト１０の吸込口１２（上方）は、例えば、ケーシング４０の下側に取付けられている。ダクト１０の吹出口１３は、地表面ＧＬから、例えば１５０ｍｍ離れた場所に位置する。ダクト１０は、ハウス２において、空気が滞留する領域、例えば、天井２ｂの暖気を、その下方、又は途中の適所（後述する貫通孔１４）に送る。
【００２１】
カバー３０は、軟質等のプラスチックから形成されている。カバー３０は、円筒形状であって、カバー３０の長さは、例えば、略１００ｍｍ、厚みｔ２は、略０．０５ｍｍである。カバー３０は、ダクト１０に摺動自在に套嵌される。そして、例えば、カバー３０は、カバー３０の内壁面３１と、ダクト１０の外周面１１との静止摩擦力で支持される構造が望ましい。例えば、套嵌される場合において、カバー３０がダクト１０から落下しない構造とする。
【００２２】
カバー３０がダクト１０に取付けられていない場合、薄肉円筒の式（１）に示すように、ダクト１０に対して、円周方向の応力σｔ１が発生する。応力σｔ１は、ダクトの内径ｄｉ及びダクトに作用する内圧Ｐの大きさに比例して大きくなる。応力σｔ１は、ダクトの厚みｔ１の大きさに反比例して小さくなる。
【００２３】
【数１】
0005748379.tif 000002
【００２４】
カバー３０がダクト１０に取付けられると、薄肉円筒の式（２）に示すように、ダクト１０に対して、円周方向の応力σｔ２が発生する。
【００２５】
【数２】
0005748379.tif 000003
【００２６】
尚、式（１）、（２）における各記号の単位は、下記の通りである。
σｔ１、σｔ２：円周方向の応力（Ｎ／ｍｍ２）
ｄｉ：ダク卜の内径（ｍｍ）
Ｐ：ダク卜に作用する内圧（ＭＰａ）
ｔ１：ダクトの厚み（ｍｍ）
ｔ２：カバーの厚み（ｍｍ）
【００２７】
式（１）と式（２）とを比較すると、カバー３０の厚みｔ２が加わったことによって、応力σｔ２は、応力σｔ１よりも小さくなっている。このように、ダクト１０にカバー３０が取付けられることによって、ダクト１０に加わる円周方向の応力が減少するため、ダクト１０のブレ防止が図れる。
【００２８】
カバー３０は、図２（ａ）、（ｂ）に示すように、ダクト１０に取付けられる。内壁面３１と外周面１１との間には、静止摩擦力を確保する構成とすることで、外周面１１に対して防滑性がある。各図において、ダクト１０の外周面１１に取付ける例を、説明かつ図示した。これに限定されず、図示しないが、外周面１１の一部又は内周面に取付けることも可能である。
【００２９】
また、図１及び図２（ｃ）に示すように、カバー３０を吹出口１３から上方に所定の距離Ｄ移動させることも可能であり、移動位置等における、例えば、ダクト１０の強度を確保できる。さらに、ダクト１０をまくり上げることで、下方に作業スペースを確保できる。また、移動位置等における、例えば、ダクト１０にかかる応力をカバー３０が受けることによって、ブレ防止が図れる。
【００３０】
また、カバー３０の長さは、例えば、略８０ｍｍ以上略６００ｍｍ以下の範囲内にあることが好ましい。より好ましくは、略１００ｍｍ以上略４００ｍｍ以下の範囲内にあることが好ましい。
【００３１】
カバー３０の長さが略８０ｍｍ以上略６００ｍｍ以下の範囲内にあることにより、ダクト１０のブレ防止をできるとともに、ダクト１０の強度が向上し、ダクト１０への取付けが簡便になるため、カバー３０の実用性が高められる。また、ダクト１０及びカバー３０の材料が最適化されることによって、より一層、ダクト１０のブレ防止をすることができる。さらに、カバー３０がダクト１０に取付けられることによって、ダクト１０の形状が安定する。このため、例えば、カバー３０の上方の空気の流れが、吹出口１３に至ることから（空気の流れが確保されるので）、作物３に対して効率的に給気することができる。
【００３２】
実施の形態２．
次に、給気構造１Ａ（吹出口１３付近の地表面ＧＬの状態、又は、圃場の空間等の位置の変更）について、図３及び図４（ａ）、（ｂ）、（ｃ）を用いて説明する。尚、実施の形態１と同一又は同等の構成については、同一の符号を用い、説明を省略する。本実施の形態に係るダクト１０Ａは、外周面１１に貫通孔１４を形成する点で、実施の形態１に係るダクト１０と相違している。後述するダクト１０Ａ〜ダクト１０Ｃは、ダクト１０の代替品である。
【００３３】
ダクト１０Ａの外周面１１には、図３に示すように、吹出口１３の上方（所定の距離Ｄ１離れた）の位置及び／又は、その周辺に複数の貫通孔１４を形成し、貫通孔１４からも給気が行われる。これにより、棚２ａの上で栽培されている作物３の生長を促すことができる。
【００３４】
カバー３０は、図４（ａ）、（ｂ）、（ｃ）に示すように、吹出口１３から上方に所定の距離Ｄ１離れた位置に移動させることも可能である。また、カバー３０を貫通孔１４に移動すれば、貫通孔１４を塞ぎ、給気停止が図れる。このように、カバー３０の移動を、給気を調整するための手段として利用することができる。
【００３５】
実施の形態３．
次に、給気構造１Ｂについて、図５及び図６（ａ）、（ｂ）、（ｃ）を用いて説明する。尚、実施の形態１と同一又は同等の構成については、同一の符号を用い、説明を省略する。本実施の形態に係るダクト１０Ｂは、外周面１１に印字１５がプリントされている点で、実施の形態１に係るダクト１０と相違している。
【００３６】
ダクト１０Ｂの外周面１１には、図５に示すように、複数の印字１５が上下方向に沿って、例えば、３ｃｍ毎にプリントされている。印字１５は、ダクト１０Ｂの製品名又は商標名（ロゴ等）を書したものである。印字１５を、ダクト１０Ｂの製品名又は商標名のアピールに利用することができる。印字１５の代わりに、点、線、記号、文字等を使用することもできる。
【００３７】
カバー３０は、図６（ａ）、（ｂ）、（ｃ）に示すように、吹出口１３から上方に移動させることも可能である。このため、カバー３０を吹出口１３から上方に移動させる際、印字１５の位置を目安に移動させることができる。印字１５等によって、カバー３０が吹出口１３から移動した距離を視認できる。
【００３８】
（変形例）
以上、本発明の実施の形態について説明したが、本発明は、上記実施の形態によって限定されるものではない。例えば、以下のように変形して実施することもできる。
【００３９】
作物３は、図１、３、５に示した、棚栽培等に限定されず、その他として、例えば、図７に示すように、土耕栽培も有り得る。
【００４０】
実施の形態３に係るダクト１０Ｂには、ダクト１０Ｂの製品名等の印字１５がプリントされていた。しかしながら、図８（ａ）、（ｂ）、（ｃ）に示すように、等間隔、又は適宜間隔に目盛り１６を設けたダクト１０Ｃであってもよい。
【００４１】
図９（ａ）、（ｂ）、（ｃ）に示すように、蛇腹状のカバー３０Ａであってもよい。カバー３０Ａの内壁面３１は、凹凸状に形成されるため、ダクト１０の外周面１１に対する静止摩擦力が高まり、カバー３０がダクト１０から落下しなくなる。
【００４２】
図１０（ａ）、（ｂ）、（ｃ）に示すように、カバー３０を二重になるように重ねたカバー３０Ｂであってもよい。カバー３０Ｂの厚みは、カバー３０の厚みの２倍になる。ダクト１０の強度性の向上と、ダクト１０のブレ防止に有効である。
【００４３】
図１１に示すように、カバー３０にシート状等の温湿度計が貼り付けられたカバー３０Ｃであってもよい。ハウス２内、及び／又は、ダクト１０内の温度及び湿度を視認できる。
【００４４】
カバー３０は、詳細には説明しないが（図示しないが）、難燃性の軟質プラスチックで形成することで、火災時に有益と考えられる。尚、ダクト１０も同様である。また、カバー３０は、硬質プラスチック等で、例えば、ダクト１０の硬質プラスチックに対して、硬い材料から形成されていてもよい。ダクト１０のブレ防止に有効である。
【００４５】
上述の実施の形態では、単独のカバー３０がダクト１０に取付けられた例を示したが、複数のカバー３０が取付けられていてもよい。ダクト１０Ａのブレ防止と、貫通孔１４の閉塞とに有益と考えられる。
【００４６】
カバー３０とダクト１０とを接着テープで添着するか、又は接着材で取付けることによって、カバー３０のダクト１０から剥離防止を図ってもよい。
【００４７】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【符号の説明】
【００４８】
１  給気構造
２  ハウス
２ａ  棚
２ｂ  天井
２ｃ  躯体
２ｄ  ワイヤ
２ｅ  支持部材
３  作物
１０、１０Ａ、１０Ｂ、１０Ｃ  ダクト
１１  外周面
１２  吸込口
１３  吹出口
１４  貫通孔
１５  印字
１６  目盛り
２０  送風機
３０、３０Ａ、３０Ｂ、３０Ｃ  カバー（ダクトカバー）
３１  内壁面
４０  ケーシング
Ｄ、Ｄ１  所定距離
ＧＬ  地表面
σｔ１、σｔ２  応力
ｄｉ  内径
ｔ１、ｔ２  厚み
Ｐ  内圧
【要約】
【課題】ダクトのブレ防止をすることができるカバー及び給気構造を提供する。
【解決手段】カバー３０は、ハウス２内の上方の空気を下方、又は適所に送るダクト１０の外周面１１に設けられ、外周面１１を移動可能である。カバー３０は、筒状で、かつ、長さが略８０ｍｍ以上略６００ｍｍ以下の範囲内にある。カバー３０は、移動可能な範囲が、ダクト１０の吹出口１３から、ダクト１０の吸込口１２とする。これにより、カバー３０は、ダクト１０のブレ防止をすることができる。
【選択図】図１【図１】
0005748379.tif 000004
【図２】
0005748379.tif 000005
【図３】
0005748379.tif 000006
【図４】
0005748379.tif 000007
【図５】
0005748379.tif 000008
【図６】
0005748379.tif 000009
【図７】
0005748379.tif 000010
【図８】
0005748379.tif 000011
【図９】
0005748379.tif 000012
【図１０】
0005748379.tif 000013
【図１１】
0005748379.tif 000014